(57)【要約】【課題】適切な強度で且つ効率的に装着者に芳香を提供することができる芳香の提供方法及びこれに用いられる芳香具を提供すること。【解決手段】本発明は、芳香成分を含む芳香放出手段を身体に装着し、該芳香放出手段から生じる芳香を装着者に提供する芳香の提供方法である。身体からの熱により生じた上昇気流が流れる身体の前側空間領域１のうち、鼻の下端を基点とし下方に向かって断面積が漸次増大する鼻息が直接的にかかる鼻息噴射領域２に芳香放出手段を配置しない一方、該鼻息噴射領域２の左右に位置する側部領域３又は該鼻息噴射領域２より身体側に位置する身体近接領域４に芳香放出手段を配する。芳香放出手段からの芳香成分の単位時間当たりの揮発量が０．１ｍｇ／秒未満である。上昇気流及び前記鼻息により生じる対流に乗せて、芳香放出手段から生じる芳香を前記鼻に供給する。【選択図】図１
2020054813.tif 000002
【特許請求の範囲】
【請求項１】
芳香成分を含む芳香放出手段を身体に装着し、該芳香放出手段から生じる芳香を装着者に提供する芳香の提供方法であって、
身体からの熱により生じた上昇気流が流れる身体の前側空間領域のうち、鼻の下端を基点とし下方に向かって断面積が漸次増大する鼻息が直接的にかかる鼻息噴射領域に芳香放出手段を配置しない一方、該鼻息噴射領域の左右に位置する側部領域又は該鼻息噴射領域より身体側に位置する身体近接領域に芳香放出手段を配し、
前記芳香放出手段からの前記芳香成分の単位時間当たりの揮発量が０．１ｍｇ／秒未満であり、
前記上昇気流及び前記鼻息により生じる対流に乗せて、前記芳香放出手段から生じる芳香を前記鼻に供給する、芳香の提供方法。
【請求項２】
前記芳香放出手段からの前記芳香成分の単位時間当たりの揮発量が０．０００００１ｍｇ／秒以上０．０６ｍｇ／秒以下である、請求項１に記載の芳香の提供方法。
【請求項３】
前記芳香成分として、下記式で表される芳香ポテンシャルＡＰが−６以上の成分を含む、請求項１又は２に記載の芳香の提供方法。
【数１】
2020054813.tif 000015
【請求項４】
前記芳香成分として、２５℃における蒸気圧が、１．０×１０−１３ｍｍＨｇ以上の成分を含む、請求項１〜３の何れか１項に記載の芳香の提供方法。
【請求項５】
前記芳香成分として、嗅覚的に知覚可能な閾値濃度が３００００ｎｇ／Ｌ以下である成分を含む、請求項１〜４の何れか１項に記載の芳香の提供方法。
【請求項６】
複数の人が共有する共有スペース内において、前記装着者の鼻に前記芳香を供給する、請求項１〜５の何れか１項に記載の芳香の提供方法。
【請求項７】
前記芳香放出手段を、前記側部領域における身体表面から１２０ｍｍ以内に離間した位置に配置する、請求項１〜６の何れか１項に記載の芳香の提供方法。
【請求項８】
装着者の首に掛けられる首掛部を備えた支持部と、該支持部の両端部に設けられた一対の芳香保持部とを具備する芳香具であって、
前記芳香保持部は、香料を保持した保持体を収容可能な収容部を有し、該収容部は、単一又は複数の開口を有しており、且つ、
前記首掛部を介して前記装着者の首に掛けられた状態において、前記開口のうち、少なくとも一つの開口から流入し、前記収容部内を経由して、該開口又は他の開口から流出する気体の流路が形成される、芳香具。
【請求項９】
前記芳香保持部は、前記装着者の身体表面から離間して配される、請求項８に記載の芳香具。
【請求項１０】
前記開口と前記装着者の身体表面との離間距離が５ｍｍ以上１２０ｍｍ以内である、請求項８又は９に記載の芳香具。
【請求項１１】
前記芳香保持部は、前記首掛部において前記装着者の首の両側部に配される部分どうしを結んで形成される平面状の面に対して角度を有した状態で配されている、請求項８〜１０の何れか1項に記載の芳香具。
【請求項１２】
前記芳香保持部は、前記平面状の面に対する傾斜角度が３０°以上１００°以下である、請求項１１に記載の芳香具。
【請求項１３】
前記首掛部を介して前記装着者の首に掛けられた状態において、前記芳香保持部の水平方向に対する傾斜角度が−４０°から４０°である、請求項８〜１２の何れか１項に記載の芳香具。
【請求項１４】
前記収容部には、前記開口として、鉛直方向の上方を向いた上向き開口、及び鉛直方向の下方を向いた下向き開口が形成されている、請求項８〜１３の何れか１項に記載の芳香具。
【請求項１５】
前記芳香保持部は、前記首掛部に取り付けられた基端から該芳香保持部の先端に向かう方向に沿う長手方向と該長手方向に直交する直交方向とを有しており、
前記上向き開口及び前記下向き開口それぞれが、前記長手方向に延びる形状を有している、請求項１４に記載の芳香具。
【請求項１６】
前記芳香保持部は、前記首掛部に取り付けられた基端から該芳香保持部の先端に向かう方向に沿う長手方向を有しており、前記開口として、前記長手方向に沿って並んだ複数の開口を有している、請求項８〜１５の何れか１項に記載の芳香具。
【請求項１７】
前記収容部には、前記開口として、前記収容部の先端に形成された先端開口が形成されている、請求項８〜１６の何れか１項に記載の芳香具。
【請求項１８】
前記収容部における総開口面積が１ｍｍ２以上６００ｃｍ２以下であり、且つ前記収容部の表面積に対する前記総開口面積の比率が０．０１％以上８０％以下である、請求項８〜１７の何れか１項に記載の芳香具。
【請求項１９】
前記収容部は、前記開口を介した前記保持体への接触が不能に構成されている、請求項８〜１８の何れか１項に記載の芳香具。
【請求項２０】
前記保持体の容積が０．１ｃｍ３以上８００ｃｍ３以下である、請求項８〜１９の何れか１項に記載の芳香具。
【請求項２１】
前記保持体における前記香料の含有量が、５ｍｇ以上１０ｇ以下である、請求項８〜２０の何れか１項に記載の芳香具。
【請求項２２】
身体に装着し、芳香を装着者に提供する芳香の提供方法に用いられる芳香具であって、
前記芳香具は、香料を保持した保持体を収容可能な収容部を有する芳香保持部を具備しており、
前記芳香具を身体に装着したときに、身体からの熱により生じた上昇気流が流れる身体の前側空間領域のうち、鼻の下端を基点とし下方に向かって断面積が漸次増大する鼻息が直接的にかかる鼻息噴射領域に、前記芳香保持部が配されない一方、該鼻息噴射領域の左右に位置する側部領域又は該鼻息噴射領域より身体側に位置する身体近接領域に前記芳香保持部が配置され、
前記芳香保持部から放出される芳香成分の単位時間当たりの揮発量が０．１ｍｇ／秒未満であり、
前記上昇気流及び前記鼻息により生じる対流に乗せて、前記芳香保持部から生じる芳香を前記鼻に供給可能に構成されている、芳香具。
【発明の詳細な説明】
【技術分野】
【０００１】
本発明は、芳香の提供方法及びこれに用いられる芳香具に関する。
【背景技術】
【０００２】
従来、使用者に装着されて使用される芳香具やそれを用いた芳香の提供方法が知られている。例えば、特許文献１には、仮想現実環境における視覚や音響表現と同期して香りを導入する装置及び方法に関する技術が記載されており、芳香材料を収容した香り容器と、該香り容器に接続され、且つ開口部を有する筺体と、香り容器の蓋に接続され、該蓋に設けられた香り通路の一部を可変的に覆う弁と、前記筺体の一部に配置され、該筺体内の空気を外部に排出するファンと、前記香り通路の一部に対する可変手段と、前記ファンの回転速度の可変手段とを備えた、香りカートリッジが開示されている。
【０００３】
また、特許文献２には、香りを選択的に組み合わせて迅速かつ容易に提供するシステム及び装置に関する技術が記載されており、少なくとも１個の香りカートリッジを収容する空洞を有し、内部と外部との間の流路を形成する多数の開口部を有する筺体と、外部から該筺体の内部に移動する水分を選択的に遮断し、前記筺体の内部と外部との間を通過するガスを透過させる選択透過性膜とを含む、香り供給装置が開示されている。
【０００４】
また、特許文献３には、吸入によって個人に物質を供給するための技術が記載されており、香りを有する液体を収容した破損可能な容器を有する香りカートリッジと、該香りカートリッジを介してガスを流す手段とを備え、前記破損可能な容器が破損した後、前記香りを有する液体が、吸入によって使用者に送られる前記ガスと混合される、吸入物質の供給システムが開示されている。
また、特許文献４には、必要なときに１つ以上の芳香を提供するための空気路と選択的に連通される複数の芳香支持要素を備えた支持体を含む芳香放出装置を備えた装置が開示されている。
【先行技術文献】
【特許文献】
【０００５】
【特許文献１】米国特許出願公開第２００６／００６５９８６号明細書
【特許文献２】米国特許出願公開第２０１８／００３６４４９号明細書
【特許文献３】米国特許出願公開第２０１８／００５６０１３号明細書
【特許文献４】特表平１１−５０１８３４号
【発明の概要】
【発明が解決しようとする課題】
【０００６】
特許文献１〜４には、ネックレス等の装着可能な形態で香りカートリッジを使用することが記載されている。特許文献２には、シャツの襟に香りカートリッジを装着することが記載されている。しかしながら、これら芳香具を装着して香りを提供する方法は、装着者に特異的に該芳香具の香りを供給する点や効率的に装着者に芳香を供給する点では依然検討の余地があった。
【０００７】
したがって本発明は、前述した従来技術が有する欠点を解消し得る芳香の提供方法及びこれに用いられる芳香具を提供することにある。
【課題を解決するための手段】
【０００８】
本発明は、芳香成分を含む芳香放出手段を身体に装着し、該芳香放出手段から生じる芳香を装着者に提供する芳香の提供方法を提供するものである。実施形態では、身体からの熱により生じた上昇気流が流れる身体の前側空間領域のうち、鼻の下端を基点とし下方に向かって断面積が漸次増大する鼻息が直接的にかかる鼻息噴射領域に芳香放出手段を配置しない一方、該鼻息噴射領域の左右に位置する側部領域又は該鼻息噴射領域より身体側に位置する身体近接領域に芳香放出手段を配する。実施形態では、前記芳香放出手段からの前記芳香成分の単位時間当たりの揮発量が０．１ｍｇ／秒未満である。実施形態では、前記上昇気流及び前記鼻息により生じる対流に乗せて、前記芳香放出手段から生じる芳香を前記鼻に供給する。
【０００９】
また、本発明は、装着者の首に掛けられる首掛部を備えた支持部と、該支持部の両端部に設けられた一対の芳香保持部とを具備する芳香具を提供するものである。前記芳香保持部は、香料を保持した保持体を収容可能な収容部を有し、該収容部は、単一又は複数の開口を有している。また前記首掛部を介して前記装着者の首に掛けられた状態において、前記開口のうち、少なくとも一つの開口から流入し、前記収容部内を経由して、該開口又は他の開口から流出する気体の流路が形成される。
【００１０】
また、本発明は、身体に装着し、芳香を装着者に提供する芳香の提供方法に用いられる芳香具を提供するものである。前記芳香具は、香料を保持した保持体を収容可能な収容部を有する芳香保持部を具備しており、前記芳香具を身体に装着したときに、身体からの熱により生じた上昇気流が流れる身体の前側空間領域のうち、鼻の下端を基点とし下方に向かって断面積が漸次増大する鼻息が直接的にかかる鼻息噴射領域に、前記芳香保持部が配されない一方、該鼻息噴射領域の左右に位置する側部領域又は該鼻息噴射領域より身体側に位置する身体近接領域に前記芳香保持部が配置される。また前記芳香保持部から放出される芳香成分の単位時間当たりの揮発量が０．１ｍｇ／秒未満であり、前記上昇気流及び前記鼻息により生じる対流に乗せて、前記芳香保持部から生じる芳香を前記鼻に供給可能に構成されている。
【発明の効果】
【００１１】
本発明の芳香の提供方法及び芳香具によれば、適切な強度で且つ効率的に装着者に特異的に芳香を提供することができる。これにより、装着者は芳香を個人的に楽しむことができる。
【図面の簡単な説明】
【００１２】
【図１】図１は、本発明に係る前側空間領域における鼻息噴射領域及び側部領域を示す正面図である。
【図２】図２は、図１に示す前側空間領域における鼻息噴射領域及び身体近接領域を示す側面図である。
【図３】図３は、図２に示す前側空間領域を示す側面図である。
【図４】図４は、図１に示す鼻息噴射領域を示す斜視図である。
【図５】図５は、格子パターンＴ１を説明する正面図である。
【図６】図６は、本発明に係る芳香放出手段の一実施形態である芳香具を示す斜視図である。
【図７】図７は、図６に示す芳香具の使用態様の一例を示す説明図である。
【図８】図８は、試験例１の芳香知覚試験の結果を示す図である。
【図９】図９は、試験例２の芳香知覚試験の結果を示す図である。
【図１０】図１０は、試験例３の芳香知覚試験の結果を示す図である。
【図１１】図１１は、試験例４の芳香知覚試験の結果を示す図である。
【図１２】図１２は、試験例５の芳香知覚試験の結果を示す図である。
【図１３】図１３は、試験例６の芳香知覚試験の結果を示す図である。
【図１４】図１４は、試験例７の芳香知覚試験の結果を示す図である。
【図１５】図１５は、試験例８の芳香知覚試験の結果を示す図である。
【図１６】図１６は、試験例９の芳香知覚試験の結果を示す図である。
【図１７】図１７は、試験例１０の芳香知覚試験の結果を示す図である。
【図１８】図１８は、本発明に係る芳香放出手段の別の実施形態である芳香具を示す斜視図である。
【図１９】図１９（ａ）は、図１８に示す芳香保持部の長手方向に沿う断面図であり、図１９（ｂ）は、該芳香保持部の直交方向に沿う断面図である。
【図２０】図２０は、図１８に示す芳香保持部を支持部に固定する接続部を説明するための図１９（ａ）相当図である。
【図２１】図２１は、図１８に示す芳香具の使用態様の一例を示す正面図である。
【図２２】図２２は、図１８に示す芳香具の使用態様の一例を示す斜視図である。
【図２３】図２３（ａ）〜（ｇ）は、芳香保持部の収容部に形成される開口のバリエーションを示す図１９（ｂ）相当図である。
【図２４】図２４は、芳香保持部の収容部に形成される開口の一実施形態を示す斜視図である。
【図２５】図２５は、芳香保持部の収容部に形成される先端開口の一実施形態を示す図１９（ａ）相当図である。
【図２６】図２６は、本発明に係る芳香放出手段のさらに別の実施形態である芳香具を示す斜視図である。
【図２７】図２７は、図２６に示す芳香具の側面図である。
【図２８】図２８は、図２６に示す芳香具の使用態様の一例を示す斜視図である。
【図２９】図２９は、本発明に係る芳香放出手段のさらに別の実施形態である芳香具を側面から視た斜視図である。
【発明を実施するための形態】
【００１３】
以下、本発明の芳香の提供方法及び芳香具をその好ましい実施形態に基づき説明する。
本発明の芳香の提供方法は、芳香成分を含む芳香放出手段を身体に装着し、該芳香放出手段から生じる芳香を装着者に提供する。これにより、装着者は芳香を知覚することができる。
【００１４】
芳香放出手段は、本発明の使用者である装着者の身体の一部に着脱可能に配置されて使用される。本発明において芳香放出手段は、身体の所定の領域に配置される。芳香放出手段は、図１及び図２に示すように、身体Ｂからの熱により生じた上昇気流が流れる身体Ｂの前側空間領域１のうち、鼻息が直接的にかかる鼻息噴射領域２に芳香放出手段を配置しない一方、該鼻息噴射領域２の左右に位置する側部領域３又は該鼻息噴射領域２より身体Ｂ側に位置する身体近接領域４に芳香放出手段を配する。
【００１５】
前側空間領域１は、身体Ｂからの熱により生じた上昇気流が流れており、側部領域３及び身体近接領域４においても該上昇気流が発生している。本発明者らは、この上昇気流や呼吸等の身体の表面近傍を流れる気流について検討するため、身体の周囲に拡散させたオリーブオイルミスト等の揮発成分にレーザー散乱光を照射し、該揮発成分の拡散挙動を高感度カメラ（例えば新日本空調株式会社製、アイスコープ）で撮影して、前記気流を観察した。その結果、鼻息噴射領域２では、鼻からの呼気、即ち鼻息による下降気流によって揮発成分が移動し該揮発成分が一時的に低密度化してしまうことを知見し、更に、鼻からの吸気のタイミングでは、単に鼻から口の近辺の空気が鼻に入ることを知見した。すなわち、鼻息噴射領域２は、鼻息を吐出するときには、鼻から遠ざかる方向の強い一方向の気流が鼻腔の筒状の形状に由来して発生するため、鼻息噴射領域２に芳香放出手段を配置すると、芳香成分が鼻息で鼻から遠ざかる方向に放出されてしまうばかりで、効率的に装着者の鼻へ送達されない。一方で、鼻から息を吸込むときには、鼻へ向かう強い一方向の気流は発生せず、鼻近辺の空気が逆放射状に鼻へ向かう。このため、鼻息噴射領域２に芳香放出手段を配置すると、芳香成分が鼻息で鼻から遠ざかる方向に放出されてしまうばかりで、効率的に装着者の鼻へ送達されない。また、側部領域３又は身体近接領域４に芳香放出手段を配置すると、体温による上昇気流と鼻からの吸気とが相俟って、逆放射状に鼻に急速に流れ込む気流が生じることを知見した。つまり前側空間領域１における側部領域３及び身体近接領域４には、前記鼻に急速に逆放射状に流れ込む気流と前記鼻息による下降気流とがなす対流が生じている。以上の知見に基づき、本発明者らは、芳香放出手段を側部領域３又は身体近接領域４に配置して、体温による上昇気流及び鼻息により生じる対流に乗せて、芳香放出手段から生じる芳香、即ち揮発した芳香成分を鼻に供給する、本発明に至った。
【００１６】
本発明の芳香の提供方法は、芳香放出手段を前述した所定の領域３，４に配置し、前述した単位面積当たりの揮発量で揮発する芳香成分を身体表面に生じる対流に乗せて鼻に供給するため、芳香成分を適度な量で且つ効率的に装着者の鼻に供給することができる。これにより、香りが適切な強度で提供されるため、装着者が特異的に香りを適度に知覚する一方、装着者の周囲の者は香りを知覚し難い。即ち、装着者は芳香を個人的に楽しむことができる。しかも、装着者に香りを知覚させるために揮発成分（芳香成分）を過度に揮発させる必要がないため、揮発成分（芳香成分）のコストダウンが可能となる。また、前記対流に乗せて芳香成分を鼻に供給するため、送風ファンや噴霧装置等の気流発生手段を使用しても使用しなくてもよく仮に使用しても該気流発生手段で発生させる気流を最小限に抑えることができる。これにより、香りを自然に揮発させた状態又はそれに近い状態で提供することができると共に、芳香放出手段をコンパクト化することができる。ただし、芳香成分の揮発を促進し過ぎたり、体温による上昇気流及び鼻息により生じる対流を乱すような強すぎる気流が発生すると、体温による上昇気流及び鼻息により生じる対流に乗せて適切な量の芳香成分を鼻に供給することが困難となる。
【００１７】
本発明では、前述したように、芳香放出手段を適切な場所に配置することによって、効果的な芳香の提供を可能にしている。芳香放出手段の配置場所と、芳香の知覚の程度との関係は、例えば後述する試験例における芳香知覚試験により確認することができる。
【００１８】
本明細書において、前側空間領域１は、上半身のうち、鼻の下端より下方に位置し、前頭面より腹側（前側）の身体表面に沿う空間領域である。なお、前記「鼻の下端」とは、鼻中隔の下端を意味する。前頭面は、身体の頭頂部の中心を通って該身体を背側と腹側に分ける面であり、頭頂部の中心を通って該身体を左右に分ける正中面に直交する。以下、身体Ｂの腹側を前側、背側を後ろ側、該身体Ｂの身長方向における頭側を上方、その反対側を下方ともいう。また、本明細書において前側空間領域１及び前頭面の説明は、顔が真正面を向いた状態、即ち顔が前頭面に対し略垂直な方向を向いた状態であって、起立姿勢又は座位姿勢の身体に適用される。起立姿勢において顔が真正面を向いた状態は、顔が略水平方向の前方を向いた状態である。座位姿勢は、装着者が座っている状態であって、該装着者の身体Ｂの頭頂部の中心を通る中心線ＣＬ１が鉛直方向に対して０°以上６０°以下、好ましくは０°以上４５°以下の角度範囲となる状態である。座位姿勢において前記中心線ＣＬ１が鉛直方向に対して０°である状態は、該中心線ＣＬ１が鉛直方向に対し略平行である状態であり、この場合、前記「顔が真正面を向いた状態」は、顔が略水平方向の前方を向いた状態である。また、前記中心線ＣＬ１が鉛直方向に対して０°超である状態は、前記中心線ＣＬ１が鉛直方向に対して角度を有する状態であり、この場合、「顔が真正面を向いた状態」は、例えば顔が前方斜め上方又は前方斜め下方を向いた状態である。座位姿勢において前記中心線ＣＬ１が鉛直方向に対して角度を有する状態としては、装着者（身体Ｂ）がリクライニングチェアに座って、上半身を仰向き等に傾かせた状態や、椅子等に前のめりに座った状態等が挙げられる。前記中心線ＣＬ１は、前述の前頭面と正中面とが交わってできる直線である。
前側空間領域１は、図３に示すように、身体の各高さ位置において、身体表面から前側に、好ましくは３００ｍｍ、より好ましくは２００ｍｍ水平移動させた位置までの領域である。「身体の高さ位置」は、身体Ｂの身長方向における位置である。
【００１９】
鼻息噴射領域２は、前述した起立姿勢及び座位姿勢において、鼻息が直接的にかかる領域である。鼻息噴射領域２は、図１及び図２に示すように、前側空間領域１の一部をなし、鼻の下端を基点とし下方に向かって断面積が漸次増大する領域である。鼻息噴射領域２は、鼻息による鼻から遠ざかる方向の気流が発生する空間領域であり、鼻の下端側を先端にして、下方に延びる略楕円錐体状の形状をなす。鼻息噴射領域２及び後述する身体近接領域４は、装着者の身体Ｂを正面から視た正面図において、装着者の腸骨における一対の上前腸骨棘と、鼻の下端とを結んで形成される三角形の範囲内に位置することが好ましい。上前腸骨棘は、解剖学の用語である。腸骨は、寛骨臼の上部を作る腸骨体とそれより上方において扇状に拡がる腸骨翼とを有しており、その腸骨翼の上縁（腸骨稜）の前方下部にある突起が上前腸骨棘である。
【００２０】
図２に示すように、身体Ｂを側面から視たとき、鼻息噴射領域２は、前側境界線２１と後側境界線２２との間の空間領域である。前側境界線２１は、鼻息噴射領域２の最も身体表面から遠い境界線であり、後側境界線２２は、鼻息噴射領域２の最も身体表面に近い境界線である。前側境界線２１及び後側境界線２２は、鼻の下端から下方に向かって身体Ｂ表面から漸次前側に離間するように延びている。前側境界線２１及び後側境界線２２は、身体Ｂを側面から視たとき、それぞれが鼻の下端を通る。鼻息噴射領域２において、前記中心線ＣＬ１と、後側境界線２２とがなす角度θ１は好ましくは０．１°以上４５°以下、より好ましくは１°以上３０°以下である。鼻息噴射領域２において、前記中心線ＣＬ１と、前側境界線２１とがなす角度θ２は好ましくは２°以上６０°以下、より好ましくは５°以上５０°以下、より好ましくは５°以上４５°以下、更に好ましくは７°以上３５°以下である。
【００２１】
身体Ｂの表面と前側及び後側境界線２１，２２との離間距離は、下方に向かうにつれて漸次長くなっている。身体Ｂを側面から視たとき、身体Ｂ表面と前側境界線２１との離間距離の上限は、好ましくは３００ｍｍ以下、より好ましくは２５０ｍｍ以下、さらに好ましくは２００ｍｍ以下である。身体Ｂを側面から視たとき、身体Ｂ表面と後側境界線２２との離間距離の上限は、好ましくは２００ｍｍ以下、より好ましくは１５０ｍｍ以下、より好ましくは１２０ｍｍ以下、より好ましくは９０ｍｍ以下であり、より好ましくは７０ｍｍ以下であり、より好ましくは６０ｍｍ以下であり、更に好ましくは５０ｍｍ以下であり、より更に好ましくは３０ｍｍ以下である。身体Ｂ表面と後側境界線２２との離間距離の上限は、身体Ｂの各高さ位置において、身体表面から前側に水平移動させて後側境界線２２に到達するまでの最大離間距離であり、身体Ｂ表面と前側境界線２１との離間距離の上限は、身体Ｂの各高さ位置において、身体表面から前側に水平移動させて前側境界線２１に到達するまでの最大離間距離である。
前記角度θ１及び前記角度θ２、身体Ｂ表面と前側境界線２１との離間距離の上限、並びに身体Ｂ表面と後側境界線２２との離間距離の上限は、前述した起立姿勢及び座位姿勢にて規定される。
【００２２】
側部領域３は、図１に示すように、前側空間領域１の一部をなし、鼻息噴射領域２の左右に位置する左側部領域３１及び右側部領域３２から構成される。側部領域３は、身体を正面から視たとき、鼻息噴射領域２よりも左右側の身体表面に沿った空間領域であり、該鼻息噴射領域２の左右に隣接している。側部領域３は、鼻の下端から下方に向かって腰までの胴体部分の表面に沿っており、身体Ｂの各高さ位置において、身体表面から前側に好ましくは１５０ｍｍ、より好ましくは１２０ｍｍ、さらに好ましくは１１０ｍｍ水平移動させた位置までの空間領域である。
【００２３】
身体近接領域４は、前側空間領域１の一部をなし、鼻息噴射領域２より身体Ｂ側であって、左右を左側部領域３１及び右側部領域３２に挟まれた空間領域である。身体近接領域４は、身体Ｂを側面から視たとき、図２に示すように、鼻息噴射領域２より身体Ｂ表面に近接している。即ち、身体近接領域４は、身体Ｂ表面から鼻息噴射領域２の後側境界線２２までの空間領域であり、下方に向かって漸次拡大している。また、身体近接領域４は、身体Ｂを正面から視たとき、鼻息噴射領域２と重なっている。
【００２４】
芳香放出手段は、前述したように、鼻息噴射領域２には配置しない一方、側部領域３又は身体近接領域４に配置される。芳香放出手段は、側部領域３又は身体近接領域４における任意の位置に配されて使用される。側部領域３及び身体近接領域４は、後述するように、鼻に流れ込む空気が流れる領域であり、何れも鼻息噴射領域２の周囲に形成される。側部領域３及び身体近接領域４は、互いの境界部において一部重複していてもよい。
【００２５】
本発明では、側部領域３又は身体近接領域４において、芳香放出手段を身体表面から前側に離間させて配置してもよい。「身体表面から前側に離間させて配置」とは、図３に示すように、身体Ｂの各高さ位置において、身体表面から前側に水平移動させた位置に配することである。身体表面から前側に水平移動させた位置としては、例えば図３に示す所定の離間距離で体表面に沿う線ｆの位置が挙げられる。鼻に流れ込む対流に芳香成分を乗せ易くする観点から、芳香放出手段を側部領域３における身体表面から好ましくは１５０ｍｍ以内に、より好ましくは１２０ｍｍ以内に、より好ましくは１１０ｍｍ以内に、より好ましくは９０ｍｍ以内に、より好ましくは７０ｍｍ以内に、より好ましくは６０ｍｍ以内に、更に好ましくは５０ｍｍ以内に、更に好ましくは３０ｍｍ以内に離間させた位置に配置する。この場合、芳香放出手段は、左側部領域３１に配置してもよく、右側部領域３２に配置してもよい。身体近接領域４における身体Ｂの表面に沿う領域は熱による上昇気流の影響を直接受けたり、乱流が生じたり空気溜まりが発生することがあるため、芳香放出手段を身体表面から前側に離間させて配置する場合、身体表面と芳香放出手段との離間距離は、好ましくは７０ｍｍ以内、より好ましくは５０ｍｍ以内であり、また好ましくは１ｍｍ以上、より好ましくは５ｍｍ以上、さらに好ましくは１０ｍｍ以上、より更に好ましくは３０ｍｍ以上である。身体表面と芳香放出手段との離間距離の好ましい範囲は、側部領域３と身体近接領域４とで重複してもよい。身体表面から芳香放出手段を離間させて配置する場合、芳香放出手段の芳香の放出口である開口と身体表面との間の距離、例えば後述する芳香具の放出窓１５と身体表面との間の距離を、前述した身体表面と芳香放出手段との好ましい離間距離とすることが好ましい。芳香放出手段が芳香具である場合、該芳香具は、開口と身体表面との間の距離を好ましい離間距離に維持するための支持部１２（装着部１３）を備えることが好ましい。
【００２６】
本発明では、芳香放出手段を側部領域３及び身体近接領域４の何れか一方又は双方に配置してもよい。芳香成分を鼻により容易に供給する観点から、芳香放出手段を側部領域３における鎖骨近傍又は身体近接領域４における下顎近傍に配置することが好ましい。鎖骨近傍又は下顎近傍においても、芳香放出手段を身体表面から前側に離間させて配置するときに、鼻に流れ込む対流に芳香成分を乗せ易くする観点から、身体表面と芳香放出手段との離間距離は好ましくは７０ｍｍ以内、より好ましくは５０ｍｍ以内であり、上昇気流の直接影響や乱流や空気溜まりの観点から、好ましくは１ｍｍ以上、より好ましくは５ｍｍ以上、さらに好ましくは１０ｍｍ以上、より更に好ましくは３０ｍｍ以上である。
【００２７】
芳香成分をより効率的に鼻に供給する観点から、芳香放出手段は以下の配置とすることが好ましい。身体Ｂを正面から視た正面図において、図５に示すように、鼻の下端を通る鉛直線を中心とする格子パターンＴ１を仮定する。格子パターンＴ１は、前記正面図において、身体Ｂの前側空間領域１の位置を格子の交点で示しており、身長方向の長さが６０ｃｍ、左右方向の長さが６０ｃｍである。格子パターンＴ１は、鼻の下端を通る鉛直線である基準線ＣＬ２を中心とする複数の鉛直線、及び該鉛直線と直交する複数の平行線を有し、該鉛直線及び該水平線の交点を頂点とする５ｃｍ×５ｃｍの複数の正方形からなる。格子パターンＴ１は、基準線ＣＬ２を中心に該基準線ＣＬ２の左右両側それぞれに６本ずつ鉛直線ｅを有する。身長方向において、格子パターンＴ１の各平行線ｄを身長方向の鼻の下端から下方に向かって順に、第１平行線ｄ１、第２平行線ｄ２、第３平行線ｄ３・・・とする。また、左右方向において、格子パターンＴ１の各鉛直線ｅを左右方向の右側から順に、第１鉛直線ｅ１、第２鉛直線ｅ２、第３鉛直線ｅ３・・・とする。左右方向における右側は、身体Ｂの右側である。格子パターンＴ１では、第７鉛直線ｅ７が基準線ＣＬ２となる。
芳香放出手段は、格子パターンＴ１において、第１及び第６平行線ｄ１，ｄ６、並びに第４及び第１０鉛直線ｅ４，ｅ１０で区画される領域Ｒ１内に配されることが好ましく、第２及び第５平行線ｄ２，ｄ５、並びに第５及び第９鉛直線ｅ５，ｅ９で区画される領域Ｒ２内に配されることがより好ましい。このように芳香放出手段は鼻の下端を通る鉛直線である基準線ＣＬ２を中心として左右対称に配されると左右両鼻腔へバランスよく芳香成分が供給されるため好ましい。但し、これら領域Ｒ１，Ｒ２内であっても、芳香放出手段は鼻息噴射領域２には配置されない。
【００２８】
芳香成分をより確実に鼻に供給する観点から、前側空間領域１のうち身体表面からの離間距離が５ｃｍ以上１０ｃｍ以内の範囲では、前記格子パターンＴ１における第７鉛直線ｅ７上における第５平行線ｄ５より下方、及び第６鉛直線ｅ６及び第８鉛直線ｅ８上における第９平行線ｄ９より下方に、芳香放出手段を配置しないことが好ましい。また、前側空間領域１のうち身体表面からの離間距離が１０ｃｍ以上１５ｃｍ以内の範囲では、前記格子パターンＴ１における第７鉛直線ｅ７上、及び第６鉛直線ｅ６及び第８鉛直線ｅ８上における第８平行線ｄ８より下方に、芳香放出手段を配置しないことが好ましい。
【００２９】
上記と同様の観点から、前側空間領域１のうち身体表面からの離間距離が５ｃｍ以上１０ｃｍ以内の範囲では、前記格子パターンＴ１における以下の領域Ｒ３〜Ｒ７内のうち何れか１の領域内に芳香放出手段を配置することが好ましい。以下の領域Ｒ３〜Ｒ７は、身体Ｂの正面図において、側部領域３又は身体近接領域４と重複する。
領域Ｒ３：第４鉛直線ｅ４、第５鉛直線ｅ５、第３平行線ｄ３、及び第１１平行線ｄ１１で区画される領域。
領域Ｒ４：第５鉛直線ｅ５、第６鉛直線ｅ６、第３平行線ｄ３、及び第８平行線ｄ８で区画される領域。
領域Ｒ５：第６鉛直線ｅ６、第８鉛直線ｅ８、第３平行線ｄ３、及び第４平行線ｄ４で区画される領域。
領域Ｒ６：第８鉛直線ｅ８、第９鉛直線ｅ９、第３平行線ｄ３、及び第８平行線ｄ８で区画される領域。
領域Ｒ７：第９鉛直線ｅ９、第１０鉛直線ｅ１０、第３平行線ｄ３、及び第１１平行線ｄ１１で区画される領域。
【００３０】
上記と同様の観点から、前側空間領域１のうち身体表面からの離間距離が１０ｃｍ以上１５ｃｍ以内の範囲では、前記格子パターンＴ１における前述の領域Ｒ３、領域Ｒ４、領域Ｒ６、及び領域Ｒ７のうち何れか１の領域内に芳香放出手段を配置することが好ましい。
【００３１】
≪芳香成分≫
芳香放出手段は、香りを呈する芳香成分を含んでいる。
芳香放出手段は、単一又は複数種類の芳香成分を含む、精油等の芳香組成物を含んでいてもよい。芳香組成物としては、公知の各種の合成香料や、芳香を有する精油や天然物等が挙げられる。芳香放出手段に含まれる芳香成分は、水や有機溶媒等の溶媒に溶解又は分散させた状態であってもよい。以下、芳香成分を溶媒に溶解又は分散させたものを、芳香溶液ともいう。芳香組成物自体が芳香放出手段に保持及び放出され得る形態、例えば天然物から抽出した抽出液等の液体である場合は、該芳香組成物をそのまま用いてもよい。
【００３２】
芳香成分は、芳香放出手段からの単位時間当たりの揮発量が０．１ｍｇ／秒未満であり、好ましくは０．０００００１ｍｇ／秒以上、より好ましくは０．０００００５ｍｇ／秒以上、さらに好ましくは０．００００１ｍｇ／秒以上であり、さらに好ましくは０．００００５ｍｇ／秒以上であり、さらに好ましくは０．０００１ｍｇ／秒以上であり、また好ましくは０．０６ｍｇ／秒以下、より好ましくは０．０３ｍｇ／秒以下、さらに好ましくは０．０１ｍｇ／秒以下である。
芳香成分の芳香放出手段からの単位時間当たりの揮発量は以下の方法により測定される。
【００３３】
＜芳香成分の芳香放出手段からの単位時間当たりの揮発量＞
測定は、芳香成分を保持した芳香放出手段において、該芳香成分が該芳香放出手段から放出され得る形態で行う。芳香放出手段は、本発明の構成を有するか否かを評価すべき対象の物品（商品）であり、下記の測定条件に従う以外は、該物品の使用方法に従って、該物品を使用した状態で本測定を行うものとする。例えば、芳香放出手段が、芳香成分又は芳香組成物が放出される状態と放出されない状態との切り替えが可能な機構を備える場合は、放出される状態で測定する。物品の使用方法としては、該物品の取り扱い説明書に記載の使用方法等が挙げられる。
先ず、芳香成分又は芳香組成物を浸み込ませた保持体の質量ａ０を測定する。保持体は、個々の芳香放出手段によってその形態が異なる。保持体としては、例えば、紙、不織布、ケイ酸カルシウム等が挙げられる。次いで前記保持体を芳香放出手段に取り付け、２４℃、１０１３ｈＰａ、風速０．３ｍ／秒未満の室内環境下にて、該芳香放出手段を実験者（平熱３６℃〜３７℃）の側部領域又は身体近接領域に配置した状態で３０分放置し、芳香成分又は芳香組成物を揮発させる。この際、実験者の肌と芳香放出手段との離間距離は、本測定方法の対象となる物品の使用方法に則した距離となるが、前記離間距離が不明である場合は該離間距離を２０ｍｍとする。次いで、芳香成分又は芳香組成物を揮発させた後の保持体の質量ａ１を測定し、下記式（１）より、単位時間（１秒間）当たりの揮発量ａ（ｇ／秒）を求める。この測定を３回繰り返し、これらの平均値を芳香成分の芳香放出手段からの単位時間当たりの揮発量とする。なお、複数の芳香成分を含む芳香組成物について前記の測定を行った場合、単位時間当たりの複数の芳香成分の揮発量の合計が求められ、その合計量が、芳香成分の芳香放出手段からの単位時間当たりの揮発量となる。
ａ（ｇ／秒）＝（ａ０−ａ１）／１８００・・・（１）
ａ：単位時間当たりの揮発量
ａ０：芳香成分又は芳香組成物を揮発させる前の保持体の質量
ａ１：芳香成分又は芳香組成物を揮発させた後の保持体の質量
【００３４】
芳香成分の芳香放出手段からの単位時間当たりの揮発量は、保持体の表面積や材質、形状、保持体が保持する芳香組成物の溶媒の種類や含有量、保持体を収容し得る外装部の形態（形状や機構）等、個々の芳香放出手段が備える構成によって変動する。
【００３５】
芳香成分としては、大気圧下で大気中に揮発するものを特に制限なく用いることができる。例えば常温常圧の環境下でその香気を知覚し得るもの等を用いることができる。また、芳香成分を含む芳香組成物として、一又は複数の芳香成分を含む香料を芳香放出手段に取り付けてもよい。前記香料としては、調合香料、天然香料の何れでもよい。具体的には、『香料と調香の基礎知識』（中島基貴編著，産業図書株式会社，１９９５年６月２１日初版）、『合成香料−化学と商品知識』（合成香料編集委員会  編集、化学工業日報社、２０１６年１２月２０日増補新版）、『Perfume and Flavor Chemicals」（ステファン・アークテンダー著、自費出版、１９６９年）に記載されている香料等を使用することができる。
【００３６】
芳香放出手段は、芳香組成物として精油等の天然香料を含んでいても良い。天然香料としては、アニスオイル、アルモアズオイル、ヴァーベナオイル、エストラゴンオイル、エレミオイル、オレンジフラワーオイル、カナンガオイル、カルダモンオイル、ガルバナムオイル、キャラウェイオイル、キャロットシードオイル、グァイアックウッドオイル、クミンオイル、クローブバッドオイル、クローブリーフオイル、コリアンダーオイル、システオイル、シダーリーフオイル、シナモンバークオイル、シナモンリーフオイル、ジュニパーベリーオイル、ジンジャーオイル、スチラックスオイル、スパイクラベンダーオイル、クラリーセイジオイル、タイムオイル、ダヴァナオイル、タジェットオイル、チュベローズアブソリュート、トンカビーンズアブソリュート、ナツメグオイル、ナルキッサスアブソリュート、バイオレットリーブズアブソリュート、バジルオイル、パセリシードオイル、バニラアブソリュート、ビーズワックスアブソリュート、ピメントベリーオイル、フェンネルオイル、ブッチュリーフオイル、ブラッドオレンジオイル、ブルジョンドカシス、ベイオイル、ベチバーオイル、ペッパーオイル、ペニーロイヤルオイル、ボアドローズオイル、マジョラムオイル、マテアブソリュート、ミモザアブソリュート、メンタシトラータオイル、ユーカリプタスオイル、ローズマリーアブソリュート、ロンギフォレンオイル、イランイランオイル、オレンジオイル、クラリーセイジオイル、グレープフルーツオイル、サイプレスオイル、サンダルウッドオイル、シダーウッドオイル、シトロネラオイル、ジャスミンアブソリュート、スペアミントオイル、ゼラニウムオイル、ティーツリーオイル、ネロリオイル、パインオイル、パチョリオイル、ハッカオイル、パルマロザオイル、ビターオレンジオイル、ピンクペッパーオイル、プチグレンオイル、ペパーミントオイル、ベルガモットオイル、マンダリンオイル、ライムオイル、ラバンジンオイル、ラベンダーオイル、レモンオイル、レモングラスオイル、ローズアブソリュート、ローズオイル、ローズマリーオイル、ローマンカモミルオイル、ローレルオイル、アミリスオイル、オークウッドアブソリュート、オークモスアブソリュート、オポポナックスオイル、オリガナムオイル、オリスアブソリュート、オリバナムオイル、カモミルブルーオイル、ジョンキルアブソリュート、スチラックスレジノイド、セロリシードオイル、タイムアブソリュート、タバコアブソリュート、ダブダナムアブソリュート、タンジーオイル、ディルシードオイル、トリーモスアブソリュート、バレリアンオイル、プチグレンアブソリュート、ホーリーフオイル、マリーゴールドアブソリュート、ミルオイル、ミルテオイル、メイスオイル、メリッサオイル、リアトリックスアブソリュート、リゼアキュベバオイル、ルーオイル、ワームウッドオイル等が挙げられ、これらから選択される１種又は２種以上を含むことが好ましい。
【００３７】
芳香成分の揮発性の観点、及び芳香の持続性の観点から、芳香成分の２５℃における蒸気圧は、好ましくは１．０×１０−１３ｍｍＨｇ以上、より好ましくは１．０×１０−１２ｍｍＨｇ以上、さらに好ましくは１．０×１０−１１ｍｍＨｇ以上であり、また好ましくは１．０×１０３ｍｍＨｇ以下、より好ましくは１．０×１０２ｍｍＨｇ以下、さらに好ましくは１．０×１０ｍｍＨｇ以下である。蒸気圧の測定方法としては、例えば静止法、気体流通法、沸点測定法、ＤＳＣ法（Differential Scanning Calorimeter;示差走査熱量計）等があるが、本発明における「２５℃における蒸気圧」は、好ましくはＭｏｄｉｆｉｅｄ  Ｇｒａｉｎ法により求める。Ｍｏｄｉｆｉｅｄ  Ｇｒａｉｎ法を用いた前記「２５℃における蒸気圧」は、米国環境保護庁（ＥＰＡ）から入手できる、ＥＰＩ  ｓｕｉｔｅに組み込まれたＭＰＢＰＷＩＮを用いて算出される。精油等の複数の芳香成分を含む香料を用いる場合、複数の芳香成分のうち、少なくとも１種の蒸気圧が前述の範囲内であることが好ましい。
【００３８】
芳香成分は、嗅覚的に知覚可能な閾値濃度が、好ましくは３００００ｎｇ／Ｌ以下、より好ましくは１００００ｎｇ／Ｌ以下、さらに好ましくは２０００ｎｇ／Ｌ以下である。精油等の複数の芳香成分を含む香料（芳香組成物）を用いる場合、複数の芳香成分のうち、少なくとも１種の閾値濃度が前述の範囲内であることが好ましい。閾値濃度は、におい嗅ぎＧＣ（例えばＧｅｒｓｔｅｌ社製の匂い嗅ぎ装置ＯＤＰを設置したＧＣ）を用いて測定される。におい嗅ぎＧＣは、ＦＩＤ等の検出器に接続されるＧＣカラムを出口近傍で分岐し、におい嗅ぎポートに接続したものであり、該ＧＣカラムで分離した芳香成分をにおい嗅ぎポートで嗅ぐことができる。におい嗅ぎＧＣにより、量（濃度）を変えてにおい嗅ぎＧＣに導入された芳香成分を、におい嗅ぎポートで嗅ぎ、該芳香成分を嗅覚的に知覚し得る量の下限値、即ち閾値濃度を求める。
【００３９】
鼻への芳香成分の供給をより容易にする観点から、芳香成分は、下記式で表される芳香ポテンシャルＡＰが好ましくは−６以上、より好ましくは−４以上、さらに好ましくは−２以上の成分を含む。芳香ポテンシャルＡＰは、液体または担持体に存在した状態の芳香成分が気化したときの知覚のしやすさを示す指標として用いることができる。芳香ポテンシャルＡＰは、数値が大きいほど芳香成分の芳香が知覚されやすいことを示し、逆に数値が小さいほど芳香成分の芳香が知覚されにくいことを示す。下記式において、蒸気圧Ｐ及び閾値濃度Ｃは前述した方法により測定される。
【００４０】
【数１】
2020054813.tif 000003
【００４１】
例えば、芳香成分としてリナロールを含む場合、リナロールの蒸気圧Ｐは、０．０８３２ｍｍＨｇであり、リナロールの閾値濃度Ｃが１．５０ｎｇ／Ｌであるため、当該成分の芳香ポテンシャルＡＰは、−１．２６となる。
精油等の複数の芳香成分を含む芳香組成物を用いる場合、複数の芳香成分のうち、少なくとも１種の芳香成分の芳香ポテンシャルＡＰが前述の範囲内であることが好ましい。
【００４２】
芳香ポテンシャルＡＰが−６以上の芳香成分として、例えば下記表１〜表６に記載の成分が挙げられる。表１〜表６では、芳香成分とその芳香ポテンシャルＡＰを示す。
【００４３】
【表１】
2020054813.tif 000004
【００４４】
【表２】
2020054813.tif 000005
【００４５】
【表３】
2020054813.tif 000006
【００４６】
【表４】
2020054813.tif 000007
【００４７】
【表５】
2020054813.tif 000008
【００４８】
【表６】
2020054813.tif 000009
【００４９】
芳香成分として、上記表１〜表６に記載の化合物から選択される１種又は２種以上を含むことが好ましい。例えば、表１〜表６に記載の化合物を組み合わせて、下記表７に示す芳香組成物１〜４とすることができる。
【００５０】
【表７】
2020054813.tif 000010
【００５１】
芳香成分を溶媒に溶解又は分散させた芳香溶液を用いる場合、芳香溶液に用いられる溶媒としては、水やアルコール等が挙げられる。水は、蒸留水、イオン交換水、水道水、天然水等を用いることができる。アルコールは、エタノール、プロパノール、イソプロパノール等の炭素数２〜３の低級アルコール；グリセリン、プロピレングリコール、ジプロピレングリコール、エチレングリコール、ジエチレングリコール等の炭素数２〜６の多価アルコール等を１種又は２種以上を組み合わせて用いることができる。
【００５２】
芳香を適度に知覚させる観点から、芳香溶液中の芳香成分の含有率は、好ましくは１０質量％以上、より好ましくは２０質量％以上、さらに好ましくは３０質量％以上であり、上限は１００質量％が好ましい。上記と同様の観点から、芳香溶液中の溶媒の含有率は、好ましくは３０質量％以下、より好ましくは２０質量％以下、さらに好ましくは１０質量％以下である。
≪芳香放出手段≫
【００５３】
図６に、芳香放出手段を備える芳香具の一実施形態である芳香具１０を示す。芳香具１０は、芳香成分が収容された芳香部１１と、身体に着脱可能に取り付け可能な装着部１３とを有している。装着部１３は、所定の剛性を有する部材であり、その両端それぞれに芳香部１１が連設されている。芳香部１１は、内部に芳香成分を保持した保持体１４を収容可能な空間と、該空間と連通し、芳香成分を外部に放出する開口である放出窓１５とを有している。芳香具１０は、その使用時に、芳香放出手段として機能する芳香部１１が、前述した鼻息噴射領域に配置されずに、前述した側部領域又は身体近接領域に配置された状態となることが好ましい。
芳香のバリエーションの観点から、芳香部１１は、芳香の種類毎に芳香成分又は芳香溶液を収容する空間と放出窓１５とをそれぞれ複数有していてもよい。本実施形態において芳香具１０は、２つの芳香部１１を有しているが、これら芳香部１１に異なる種類の芳香成分又は芳香溶液を収容してもよい。また、芳香の種類を切り替えて使用する観点から、芳香具１０は、所定の放出窓１５だけを開放状態にする一方、他の放出窓１５を閉鎖状態にするように、操作し得ることが好ましい。
【００５４】
図７に、芳香具１０の使用状態を示す。芳香具１０は、装着部１３を装着者の首の後方側から掛けられるように、装着部１３が円弧状に湾曲した形状を有している。また、装着部１３の両端側部分が上方から下方に傾いており、装着者の首周りにフィットし易くなっている。装着者Ｕ１に装着した装着状態において、芳香部１１は、装着者の側部領域３又は身体近接領域４に容易に配置されるように、一端が下方に向かって傾斜している。この芳香具１０の装着状態では、放出窓１５から揮発した芳香成分が、前述したように、装着者Ｕ１の体温による上昇気流と鼻息により生じる対流に乗って、装着者Ｕ１の鼻に供給される。一方、装着者Ｕ１の周囲にいる者Ｕ２には、芳香成分の芳香を知覚され難い。
【００５５】
図１８に、芳香放出手段を備える芳香具の別の実施形態である芳香具１０ａを示す。本実施形態の芳香具１０ａは、本発明の芳香の提供方法に好適に用いられる芳香具であり、芳香放出手段として機能する芳香保持部を有する。本実施形態の芳香具１０ａは、前述した実施形態における芳香部１１として、芳香保持部１１ａを具備している。具体的には、芳香具１０ａは、支持部１２と、該支持部１２の両端部に設けられた一対の芳香保持部１１ａとを具備している。
【００５６】
芳香保持部１１ａは、図１９（ａ）及び（ｂ）に示すように、香料を保持した保持体１４を収容可能な収容部１８を有している。保持体１４には、芳香成分が保持されており、より具体的には、単一又は複数の芳香成分を含む芳香組成物としての香料が保持されている。本実施形態の収容部１８は、気体が流入及び流出可能な複数の開口１６を有している。本実施形態の収容部１８には、鉛直方向Ｚに対し、同方向Ｚの上方を向いた上向き開口１６ａと、同方向Ｚの下方を向いた下向き開口１６ｂとが形成されている。これら開口１６ａ，１６ｂは、収容部１８の内外を連通する貫通孔であり、収容部１８内への気体の流入及び収容部１８外への気体の流出を可能にする。
【００５７】
長手方向Ｘを水平方向と一致させたとき、上向き開口１６ａは、収容部１８の中心軸ｃ１よりも鉛直方向Ｚの上方に位置する開口であり、下向き開口１６ｂは、該中心軸ｃ１よりも鉛直方向Ｚの下方に位置する開口である〔図１９（ａ）参照〕。
【００５８】
芳香保持部１１ａは、後述する首掛部１２ａに取り付けられた基端から該芳香保持部１１ａの先端に向かう方向に沿う長手方向Ｘと、該長手方向Ｘに直交する直交方向Ｙとを有している。直交方向Ｙは、収容部１８の中心軸ｃ１に直交する断面に沿った方向である。本実施形態の芳香保持部１１ａは、長手方向Ｘに沿って並んだ複数の開口１６ａ，１６ｂを有している〔図１９（ａ）参照〕。
【００５９】
本実施形態の開口１６は、個々の開口面積が好ましくは０．１ｍｍ２以上である。前記気体の流入及び流出をより効率的にする観点から、開口１６の開口面積は、より好ましくは１ｍｍ２以上、よりさらに好ましくは４ｍｍ２以上であり、また好ましくは２０００ｍｍ２以下、より好ましくは４００ｍｍ２以下であり、また好ましくは２ｍｍ２以上２０００ｍｍ２以下、より好ましくは４ｍｍ２以上４００ｍｍ２以下である。
【００６０】
本実施形態の支持部１２は、装着者Ｕ３の首に掛けられる首掛部１２ａと、該首掛部１２ａの両端部に設けられた一対の接続部１２ｂとを備えている。首掛部１２ａは、所定の剛性を有する棒状部材を略Ｕ字状に変形させたものである。接続部１２ｂは、芳香保持部１１ａを支持部１２に脱着自在に固定する部分である。本実施形態においては、接続部１２ｂ及び芳香保持部１１ａそれぞれに磁石が取り付けられており、該磁石によって、芳香保持部１１ａと支持部１２とは、接続部１２ｂを介して取り外しが可能である（図２０参照）。これにより、芳香の異なる複数の芳香保持部１１ａを簡便に交換することができる。接続部１２ｂを介しての取り外しは、芳香保持部１１ａ及び接続部１２ｂに、互いに嵌合する凹部及び凸部や、ネジ部やフック部、マジックテープ（登録商標）等を設けることで実現されてもよい。
【００６１】
収容部１８から保持体１４を容易に取り出せるようにする観点から、本実施形態の芳香保持部１１ａは、接続部１２ｂに脱着自在に固定されている（図２０参照）。この接続部１２ｂには嵌合凸部１２ｃが設けられており、該芳香保持部１１ａには、該嵌合凸部１２ｃが嵌合する嵌合開口部１８ａが設けられている。
【００６２】
本実施形態の芳香具１０ａは、図２１及び図２２に示すように、装着者Ｕ３の首に掛けられて用いられる。首掛部１２ａは、Ｕ字状に湾曲しつつ、その両端部が所定の離間距離で互いに離間するように設計されている。これにより、芳香具１０ａは、芳香具１０ａが首掛部１２ａを介して装着者Ｕ３の首に掛けられた状態（以下、「装着状態」という）において、鼻息噴射領域２（不図示）に芳香保持部１１ａが配されない一方、側部領域３（不図示）又は身体近接領域４（不図示）に芳香保持部１１ａが配置される。また、芳香具１０ａは、芳香保持部１１ａから放出される芳香成分の単位時間当たりの揮発量が、０．１ｍｇ／秒未満である。
【００６３】
芳香具１０ａは、装着者Ｕ３の体温による上昇気流及び鼻息により生じる対流に乗せて、芳香保持部１１ａから生じる芳香を、該装着者Ｕ３の鼻に供給可能に構成されている。斯かる構成について詳述すると、芳香具１０ａでは、装着状態において、収容部１８に形成された開口１６のうち、少なくとも一つの開口１６から流入し、収容部１８内を経由して、該開口１６又は他の開口１６から流出する気体の流路が形成される。少なくとも一つの開口１６から流入する気体は、芳香保持部１１ａの外に存在する空気（外気）である。これにより、前述した体温による上昇気流及び鼻息により生じる対流に乗せて、保持体１４に保持された香料の芳香成分を、鼻に供給することができる。例えば、前記気体の流路として、下向き開口１６ｂから流入し、収容部１８内を経由して、上向き開口１６ａから流出する気体の流路Ｓが形成される〔図１９（ｂ）参照〕。この気体の流路Ｓは、その出入口となる開口１６ａ，１６ｂどうし間に鉛直方向Ｚにおける高低差を有する。本実施形態の収容部１８では、前記気体の流路Ｓを介して体温による上昇気流が通過し易く、香りをより自然に揮発させることができる。収容部１８を介した気体の流路Ｓは、鉛直方向Ｚにおいて下方から上方へ気体が進む流路であってもよく、水平方向へ気体が進む流路であってもよい。気体が進む方向は、収容部１８における開口の位置や開口の形状によって変化する。
【００６４】
芳香保持部１１ａは、その一部が装着者Ｕ３の身体の表面に接触した状態で配されてもよい。身体の表面（以下、身体表面ともいう）は、衣服が着用された部位の場合、服の表面である。服表面は、複数の衣服を重ね着した場合は、着用者に対し最も外側で着用される衣服の生地表面である。装着状態の芳香保持部１１ａにおいて、少なくとも前記気体の流路の出入口となる開口１６は、装着者Ｕ３の身体表面から離間して配される。芳香保持部１１ａを、鼻に流れ込む対流に曝し易くして、芳香成分をより効率的に該対流に乗せる観点から、芳香具１０ａは装着状態において芳香保持部１１ａの全体が装着者Ｕ３の身体表面から離間して配されることが好ましい。
【００６５】
上記と同様の観点から、芳香保持部１１ａと装着者Ｕ３の身体表面との離間距離Ｌ１（図２２参照）は、好ましくは５ｍｍ以上、より好ましくは８ｍｍ以上であり、また好ましくは１２０ｍｍ以下、より好ましくは７０ｍｍ以下であり、また好ましくは５ｍｍ以上１２０ｍｍ以下、より好ましくは８ｍｍ以上７０ｍｍ以下である。斯かる離間距離Ｌ１は、図３に示すように、身体表面から前側に水平移動させたときの方向に沿う距離であって、芳香保持部１１ａと該身体表面との最大離間距離である。また、上記と同様の観点から、芳香保持部１１ａにおける少なくとも１つの開口と、装着者Ｕ３の身体表面との離間距離も、上述した範囲と同じ範囲内であることが好ましい。
【００６６】
芳香成分を前記対流により容易に乗せる観点から、芳香具が首掛部１２ａを介して装着者の首に掛けられた状態、即ち装着状態において、芳香保持部１１ａ，１１ａは、水平方向に対し傾斜した状態で配されていることが好ましい。上記と同様の観点から、装着状態における、水平方向に対する芳香保持部１１ａ，１１ａの傾斜角度は、好ましくは−４０°以上、より好ましくは−３０°以上であり、また好ましくは４０°以下、より好ましくは３０°以下であり、また好ましくは−４０°以上４０°以下、より好ましくは−３０°以上３０°以下である。斯かる傾斜角度は、水平方向に沿う水平線を０°としたときの該水平線と、装着状態下の収容部１８の中心軸ｃ１〔図１９（ａ）参照〕とがなす角度である。水平方向に対する芳香保持部１１ａ，１１ａの傾斜角度は、水平線に対して芳香保持部１１ａ，１１ａが鉛直方向の上方に傾いた場合はプラスの角度となり、水平線に対して芳香保持部１１ａ，１１ａが鉛直方向の下方に傾いた場合はマイナスの角度となる。
【００６７】
収容部１８における気体の流入及び流出をより促進させる観点から、収容部１８における総開口面積は、好ましくは１ｍｍ２以上、より好ましくは４ｍｍ２以上であり、また好ましくは６００ｃｍ２以下、より好ましくは３００ｃｍ２以下であり、また好ましくは１ｍｍ２以上６００ｃｍ２以下、より好ましくは４ｍｍ２以上３００ｃｍ２以下である。斯かる総開口面積は、０．１ｍｍ２以上の開口面積を有する開口の総面積であり、１個の収容部１８における開口１６の開口面積の合計を意味する。
【００６８】
上記と同様の観点から、収容部１８の表面積に対する、前記収容部１８における前記開口面積の比率（百分率）は、好ましくは０．０１％以上、より好ましくは０．１％以上であり、また好ましくは８０％以下、より好ましくは６０％以下であり、また好ましくは０．０１％以上８０％以下、より好ましくは０．１％以上６０％以下である。
【００６９】
芳香成分をより適度な量で装着者Ｕ３の鼻に供給させる観点から、保持体１４における香料の含有量は、好ましくは５ｍｇ以上、より好ましくは１０ｍｇ以上、さらに好ましくは２０ｍｇ以上、よりさらに好ましくは３０ｍｇ以上であり、また好ましくは１０ｇ以下、より好ましくは５ｇ以下であり、また好ましくは５ｍｇ以上１０ｇ以下、より好ましくは１０ｍｇ以上１０ｇ以下、さらに好ましくは２０ｍｇ以上１０ｇ以下、よりさらに好ましくは３０ｍｇ以上５ｇ以下である。
上述した範囲の量で香料をより確実に保持する観点から、保持体１４の容積は、好ましくは０．０１ｃｍ３以上、より好ましくは０．１ｃｍ３以上、さらに好ましくは０．５ｃｍ３以上であり、また好ましくは８００ｃｍ３以下、より好ましくは４００ｃｍ３以下であり、また好ましくは０．０１ｃｍ３以上８００ｃｍ３以下、より好ましくは０．１ｃｍ３以上８００ｃｍ３以下、さらに好ましくは０．５ｃｍ３以上４００ｃｍ３以下である。
【００７０】
装着者等の指や衣服が保持体１４に接触することをより抑制させる観点から、収容部１８は、開口１６を介した保持体１４への接触が不能に構成されていることが好ましい。例えば、開口１６は、装着者等の指が通過し難い大きさ又は形状を有することが好ましい。この場合、開口１６は、直径１５ｍｍ程度の円柱が通過できない形状又は大きさを有することが好ましい。
【００７１】
収容部１８に形成される開口１６の形態は特に制限されない。開口１６は、任意の大きさを有するものであって、その平面視形状は、四角形といった多角形、円形や楕円形等の任意の形状とすることができる。また、開口１６は、該多孔体が有する複数の微細孔であってもよく、例えば収容部１８の材質が素焼き等の多孔体からなっていてもよい。
【００７２】
収容部１８には、単数の開口１６が形成されてもよく、複数の開口１６が形成されてもよい。収容部１８に複数の開口１６が形成されている場合、図１９（ａ）に示すように、長手方向Ｘに沿って複数の開口１６が形成されてもよい。さらに、長手方向Ｘにおける上向き開口１６ａと下向き開口１６ｂとの位置が同じであってもよく、異なっていてもよい。また、芳香保持部１１ａの直交方向Ｙに沿う断面において、収容部１８の輪郭周りに沿って複数の開口１６が形成されてもよい〔図２３（ａ）〜（ｆ）参照〕。芳香保持部１１ａの直交方向Ｙに沿う断面において、複数の開口１６は、収容部１８の中心軸（不図示）を通る対称線として線対称に形成されていてもよく、該中心軸を対称点として点対称に形成されていてもよく〔図２３（ａ）〜（ｅ）参照〕、非対称に形成されていてもよい〔図２３（ｆ）参照〕。
【００７３】
図２３（ｇ）に示すように、収容部１８に単数の開口１６が形成されている場合、同じ開口１６で気体の流入及び流出が起きる。この場合、気体の流入及び流出を容易にする観点から、鉛直方向Ｚにおける開口１６の高さＨ１〔図２３（ｇ）参照〕は、好ましくは０．５ｍｍ以上、より好ましくは１ｍｍ以上であり、また好ましくは６０ｍｍ以下、より好ましくは４０ｍｍ以下であり、また好ましくは０．５ｍｍ以上４０ｍｍ以下、より好ましくは１ｍｍ以上２０ｍｍ以下である。斯かる高さＨ１は、長手方向Ｘを水平方向と一致させたときの、開口１６の鉛直方向Ｚにおける最大長さである。
【００７４】
開口１６は、図２４に示すように、芳香保持部の長手方向Ｘに延びる形状を有していてもよい。図２４に示す芳香保持部１１ｂにおいて、開口１６ｃは、長手方向Ｘに延びるスリット状である。収容部１８における気体の流入及び流出をより促進させる観点から、上向き開口及び下向き開口それぞれが、長手方向Ｘに延びる形状を有していることが好ましい。
【００７５】
収容部１８には、開口１６として、且つ収容部１８の先端に形成された先端開口１６ｄが形成されていてもよい。斯かる構成により、収容部１８への気体の流入をより容易にし得る。図２５に示す芳香保持部１１ｃは、上向き開口１６ａ及び下向き開口１６ｂの他に、先端開口１６ｄを有している。上記と同様の観点から、装着状態において、鉛直方向Ｚに対する先端開口１６ｄの傾斜角度θ３（図２５参照）は、好ましくは−６０°以上、より好ましくは−４５°以上であり、また好ましくは６０°以下、より好ましくは４５°以下であり、また好ましくは−６０°以上６０°以下、より好ましくは−４５°以上４５°以下である。斯かる傾斜角度θ３は、鉛直方向Ｚに沿う直線ｃ３を０°としたときの該直線ｃ３と、先端開口１６ｄの開口面ｃ２とがなす角度を意味する。鉛直方向Ｚに対する先端開口１６ｄの傾斜角度θ３は、前記直線ｃ３に対して先端開口１６ｄが鉛直方向の上方に傾いた場合はプラスの角度となり、前記直線ｃ３に対して先端開口１６ｄが鉛直方向の下方に傾いた場合はマイナスの角度となる。
【００７６】
収容部１８の形態は特に制限されない。芳香保持部１１ａの直交方向Ｙに沿う断面において、収容部１８の形状は任意のものにすることができる。斯かる形状としては、四角形といった多角形、円形や楕円形等が挙げられる。収容部１８の寸法は、前述した開口１６の形態に応じて適宜設計することができる。
【００７７】
芳香具は、これを水平面上に載置したとき、支持部１２と、一対の芳香保持部１１ａ，１１ａとが同一平面上に配されていてもよく、支持部１２の一部に対し、一対の芳香保持部１１ａ，１１ａが傾斜した状態で配されていてもよい。図２６に、支持部１２の一部に対し、一対の芳香保持部１１ａ，１１ａが傾斜した状態で配された芳香具の一例を示す。図２６に示す芳香具１０ｂは、平面視において、首掛部１２ａにおける装着者の首の後ろから両側部にかけて配される部分に、２箇所の角部ａ１，ａ１を有するように、Ｕ字状に形成されている。本実施形態の首掛部１２ａは、側面視において該首掛部１２ａの両端部分それぞれが屈曲した屈曲部ａ２を有している（図２７参照）。本実施形態の芳香具１０ｂは、首掛部１２ａの２箇所の角部ａ１，ａ１と、２箇所の屈曲部ａ２，ａ２とで形成される平面状の面ｉに対して、一対の芳香保持部１１ａ，１１ａが傾斜した状態で配されている（図２６参照）。即ち、芳香保持部１１ａ，１１ａは、首掛部１２ａにおいて装着者の首の両側部に配される部分どうしを結んで形成される平面状の面ｉに対して角度を有した状態で配されている。斯かる構成により、装着状態において芳香保持部１１ａ，１１ａを装着者の服表面から離間させ易くすることができ（図２８参照）、芳香成分を前記対流により容易に乗せることができる。図２８に示す装着状態において、芳香具１０ｂは、屈曲部ａ２から芳香保持部１１ａ側の部分が、装着者Ｕ３の服表面から立ち上がるように配されている。即ち、芳香保持部１１ａ，１１ａ全体が装着者Ｕ３の身体表面から離間して配されている。
【００７８】
本実施形態における芳香具１０ｂは、これを水平面上に載置し、首掛部１２ａにおける装着者の首の両側部に配される部分を該水平面に押し当てた状態にすると、首掛部１２ａの屈曲部ａ２よりも先端部側の部分が、該首掛部１２ａにおける装着者の首の両側部に配される部分から立ち上がる。この首掛部１２ａの屈曲部ａ２よりも先端部側の部分は、直線状に立ち上がっており、当該部分の同軸上に芳香保持部１１ａ，１１ａが配されている。
【００７９】
芳香保持部１１ａ，１１ａを装着者の身体表面からより離間させ易くする観点から、首掛部１２ａにより形成される前記平面状の面ｉに対する芳香保持部１１ａの傾斜角度θ４（図２７参照）が、好ましくは２０°以上、より好ましくは３０°以上であり、また好ましくは１００°以下、より好ましくは８０°以下であり、また好ましくは２０°以上１００°以下、より好ましくは３０°以上８０°以下である。
斯かる傾斜角度θ４は、芳香具を、芳香保持部１１ａが屈曲している方向を鉛直方向の上方に向けて水平面上に載置し、首掛部１２ａにおける装着者の首の両側部に配される部分を該水平面に押し当てた状態下の該水平面と、収容部１８の中心軸ｃ１とがなす角度である（図２７参照）。芳香保持部１１ａ又は保持部１１の傾斜方向は、図６に示すように、芳香具を身体に装着した際に、首の両側部に配される部分よりも、芳香保持部１１ａが急角度で下降する向きであっても良いが、図２７に示すように、芳香具を身体に装着した際に、首の両側部に配される部分よりも、芳香保持部１１ａが緩く傾斜するか、芳香保持部１１ａが水平方向又は斜め上方に向かって延びる向きであることが好ましい。
芳香具は、身体に対する装着時に、いずれの面を上側に向けて装着するかを示す表示を有していてもよい。
【００８０】
図２９に、本発明に係る芳香具のさらに別の実施形態を示す。図２９に示す芳香具１０ｃは、側面視において支持部１２全体が湾曲している。斯かる芳香具１０ｃを水平面上に載置すると、側面視における支持部１２の中央部分の両側に位置する、首の後側に配される部分と、芳香保持部１１ａ近傍の部分とが、該中央部分から立ち上がった状態となる。これにより、芳香具１０ｃの装着状態において、芳香保持部１１ａを装着者の身体表面からより離間させ易くなり、芳香成分を前記対流により容易に乗せることができる。
【００８１】
前述した芳香具１０，１０ａ等の芳香放出手段は、送風ファンや噴霧装置等の気流発生手段を備えていてもよいが、装着者の体温による上昇気流と鼻息により生じる対流を利用して芳香を提供するため、該気流発生手段を備えていなくともよい。むしろ、気流発生手段を使用しないことで、香りを自然に揮発させた状態又はそれに近い状態で提供することができると共に、芳香放出手段をコンパクト化することができる。なお、気流発生手段を備える場合、芳香放出手段の内部に気流発生手段を設けてもよく、気流発生手段を芳香放出手段から露出させた状態で設けてもよい。
【００８２】
前記芳香具１０，１０ａは、首から掛けられるものであったが、芳香放出手段の形態はこれに限定されない。例えば、側部領域３又は身体近接領域４における衣服に取り付け可能な形態であってもよい。この場合、芳香放出手段は、前記衣服に取り付けられる取り付け部材を有する。取り付け部材としては、面ファスナー（マジックテープ（登録商標）等）、布テープ、ガムテープ等の粘着剤、フック式の留め具等が挙げられる。また、芳香具１０，１０ａを始めとする芳香放出手段は、身体表面から所定の離間距離で配置し得る固定部を備えていてもよい。
【００８３】
芳香具１０，１０ａ等の芳香放出手段は、装着者等が手動で操作してもよく、通信回線を介して情報端末により操作されてもよい。前記操作には、開口の開閉操作、芳香成分の残量や気流発生手段等が備える駆動装置の電池残量の提示や、気流発生手段の気流の強度の調整、複数の芳香部の切換え、生体情報や場所情報などのセンサ（熱、加速度、音、光、圧力、位置、時間、ＣＯ２、臭気、電波など）との連動等が含まれる。通信回線としては、例えば、通信ケーブル、ローカルエリアネットワーク（ＬＡＮ）回線及びインターネット回線等のネットワーク回線が挙げられる。情報端末としては、公知の汎用コンピュータを用いることができ、例えば、デスクトップ型ＰＣ、ラップトップ型ＰＣ、ノート型ＰＣ、ネットブック型ＰＣ、ハンドヘルド型ＰＣ、タブレット型ＰＣ等のパソコン、サーバマシン、又はスマートフォン等の携帯端末等が挙げられる。
【００８４】
本発明の芳香の提供方法において、芳香の種類は特に制限されないため、当該提供方法を芳香がもたらす効果に応じた場面で使用することができる。例えば、本発明の芳香の提供方法は、芳香を楽しむ目的や、リラックス効果等の芳香によるアロマテラピー効果を得る目的や、被災地や難民キャンプなどで集団生活を強いられる方々のストレス緩和効果を得る目的で使用してもよく、不快臭等の臭いのマスキング効果を得る目的で使用してもよい。また、ミント類や柑橘類等の芳香を提供して、ドライバー等の居眠りを防止する目的で使用されてもよい。さらに、映画、ゲーム、バーチャル・リアリティ等の仮想現実または拡張現実環境における視覚や音響表現と同期して芳香を提供することに使用されてもよい。さらに、デスクワークや勉強の能率を上げる目的や、運動選手やアスリートが試合前に芳香によって集中効果を得る目的に使用してもよい。
【００８５】
香りを個人的に楽しむ観点から、本発明の芳香の提供方法は、複数の人が共有する共有スペース内において好適に用いられる。本発明の芳香の提供方法であれば、複数の人が共有する共有スペース内において、複数の装着者が個々に別の香りを楽しむことができ、共有スペースに複数の香りが混ざって不快な香りとなってしまうことも無い。共有スペースとしては、居住空間としてのダイニングやリビング、ネイルサロン、ヘアサロン、エステティックサロン等の店舗内の空間、介護施設における食堂や娯楽室、ホテル等の宿泊施設や空港におけるラウンジやエントランス、自動車の車内、飛行機や船やバスや電車などの客室、映画館、オフィスの事務スペース、工場の作業スペース、図書室、学校や学習塾教室、喫茶室等が挙げられる。
【００８６】
例えば図７に示す使用態様では、前記共有スペースの１種であるヘアサロンにて本発明の芳香の提供方法を使用する。図７に示すように、芳香具１０を装着した装着者Ｕ１は、美容師Ｕ２による染毛処理やパーマネント処理等の施術を受けている。染毛処理やパーマネント処理では、施術中にアンモニアやメチルメルカプタン等の臭気成分が発生し、該臭気が前記の施術を受ける者に対し不快感を与えることがある。このような問題点に対し、図７に示す態様では、芳香具１０から、前記臭気の知覚を低下させる芳香成分を放出して、装着者Ｕ１が前記臭気を知覚することを阻害し、該装着者Ｕ１が施術中を快適に過ごすことを可能にしている。一方、装着者Ｕ１の周囲にいる者Ｕ２には、芳香成分の芳香を知覚され難い。
また、図７に示す態様では、前記の施術を受ける者Ｕ１が芳香具１０を装着していたが、ヘアサロンにて施術を受けるのを待つ者が芳香具１０を装着して、本発明の芳香の提供方法を使用してもよい。
【００８７】
本発明の芳香の提供方法及びこれに用いられる芳香具は、上述した実施形態に何ら制限されず、適宜変更可能である。
例えば、側部領域３又は身体近接領域４に、複数の芳香放出手段を配置してもよい。
また、上述した実施形態のように、芳香具１０は、１個の開口（放出窓１５）を有していてもよく、これに代えて、複数の開口（放出孔）を有していてもよい。
また、芳香成分が放出される放出窓１５等の開口は、開閉自在に設けられていてもよく、開放状態で設けられていてもよい。
【００８８】
上述した実施形態に関し、本発明は更に以下の芳香の提供方法及び芳香具を開示する。
＜１＞
芳香成分を含む芳香放出手段を身体に装着し、該芳香放出手段から生じる芳香を装着者に提供する芳香の提供方法であって、
身体からの熱により生じた上昇気流が流れる身体の前側空間領域のうち、鼻の下端を基点とし下方に向かって断面積が漸次増大する鼻息が直接的にかかる鼻息噴射領域に芳香放出手段を配置しない一方、該鼻息噴射領域の左右に位置する側部領域又は該鼻息噴射領域より身体側に位置する身体近接領域に芳香放出手段を配し、
前記芳香放出手段からの前記芳香成分の単位時間当たりの揮発量が０．１ｍｇ／秒未満であり、
前記上昇気流及び前記鼻息により生じる対流に乗せて、前記芳香放出手段から生じる芳香を前記鼻に供給する、芳香の提供方法。
【００８９】
＜２＞
前記芳香放出手段からの前記芳香成分の単位時間当たりの揮発量が０．０００００１ｍｇ／秒以上０．０６ｍｇ／秒以下である、前記＜１＞に記載の芳香の提供方法。
＜３＞
前記芳香成分として、下記式で表される芳香ポテンシャルＡＰが−６以上の成分を含む、前記＜１＞又は＜２＞に記載の芳香の提供方法。
【数２】
2020054813.tif 000011
＜４＞
前記芳香成分として、２５℃における蒸気圧が、１．０×１０−１３ｍｍＨｇ以上の成分を含む、前記＜１＞〜＜３＞の何れか１に記載の芳香の提供方法。
＜５＞前記芳香成分の２５℃における蒸気圧が、１．０×１０−１３ｍｍＨｇ以上である、前記＜１＞〜＜４＞の何れか１に記載の芳香の提供方法。
＜６＞
前記芳香成分として、嗅覚的に知覚可能な閾値濃度が３００００ｎｇ／Ｌ以下である成分を含む、前記＜１＞〜＜５＞の何れか１に記載の芳香の提供方法。
＜７＞
前記芳香成分の嗅覚的に知覚可能な閾値濃度が、３００００ｎｇ／Ｌ以下である、＜１＞〜＜６＞の何れか１に記載の芳香の提供方法。
＜８＞
前記芳香放出手段に、前記芳香成分を溶媒に溶解又は分散させた芳香溶液として保持させ、該芳香溶液中の芳香成分の含有率が、１０質量％以上である、前記＜１＞〜＜７＞の何れか１に記載の芳香の提供方法。
＜９＞
前記鼻息噴射領域及び前記身体近接領域は、前記装着者の身体を正面から視たとき、装着者の腸骨における一対の上前腸骨棘と、鼻の下端とを結んで形成される三角形の範囲内に位置する、前記＜１＞〜＜８＞の何れか１に記載の芳香の提供方法。
＜１０＞
前記鼻息噴射領域が、鼻の下端側を先端にして下方に伸びる略楕円錐体状の形状をなす、前記＜１＞〜＜９＞の何れか１に記載の芳香の提供方法。
＜１１＞
前記鼻息噴射領域が、前側境界線と後側境界線との間の空間である、前記＜１＞〜＜１０＞の何れか１に記載の芳香の提供方法。
＜１２＞
前記装着者の身体の頭頂部の中心を通る中心線と前記後側境界線とが成す角度θ１が０．１〜４５°である、前記＜１１＞に記載の芳香の提供方法。
＜１３＞
前記装着者の身体の頭頂部の中心を通る中心線と前記前側境界線とが成す角度θ２が２〜６０°である、前記＜１１＞又は＜１２＞に記載の芳香の提供方法。
【００９０】
＜１４＞
前記芳香放出手段を、前記側部領域における身体表面から１２０ｍｍ以内に離間した位置に配置する、前記＜１＞〜＜１３＞の何れか１に記載の芳香の提供方法。
＜１５＞
前記芳香放出手段を、前記身体近接領域における身体表面から７０ｍｍ以内１ｍｍ以上に離間した位置に配置する、前記＜１＞〜＜１４＞の何れか１に記載の芳香の提供方法。＜１６＞
下記に定義される格子パターンＴ１において、第１及び第６平行線ｄ１，ｄ６、並びに第４及び第１０鉛直線ｅ４，ｅ１０で区画される領域Ｒ１内に、前記芳香放出手段を配置する、前記＜１＞〜＜１５＞の何れか１に記載の芳香の提供方法。
〔格子パターンＴ１〕
格子パターンＴ１は、装着者の身体を正面から視た正面図において、鼻の下端を通る鉛直線を中心とし、且つ身体の前側空間領域の位置を格子の交点で示す格子パターンである。格子パターンＴ１は、身体の身長方向の長さが６０ｃｍ、左右方向の長さが６０ｃｍである。格子パターンＴ１は、鼻の下端を通る鉛直線である基準線ＣＬ２を中心とする複数の鉛直線、及び該鉛直線と直交する複数の平行線を有し、該鉛直線及び該水平線の交点を頂点とする５ｃｍ×５ｃｍの複数の正方形からなる。格子パターンＴ１は、基準線ＣＬ２を中心に該基準線ＣＬ２の左右両側それぞれに６本ずつ鉛直線ｅを有する。身長方向において、格子パターンＴ１の各平行線ｄを身長方向の鼻の下端から下方に向かって順に、第１平行線ｄ１、第２平行線ｄ２、第３平行線ｄ３・・・とする。また、左右方向において、格子パターンＴ１の各鉛直線ｅを左右方向の右側から順に、第１鉛直線ｅ１、第２鉛直線ｅ２、第３鉛直線ｅ３・・・とする。左右方向における右側は、身体Ｂの右側である。格子パターンＴ１では、第７鉛直線ｅ７が基準線ＣＬ２となる。
＜１７＞
前記前側空間領域のうち身体表面からの離間距離が５ｃｍ以上１０ｃｍ以内の範囲において、前記格子パターンＴ１における第７鉛直線ｅ７上における第５平行線ｄ５より下方、及び第６鉛直線ｅ６及び第８鉛直線ｅ８上における第９平行線ｄ９より下方に、前記芳香放出手段を配置しない、前記＜１６＞に記載の芳香の提供方法。
＜１８＞
前記前側空間領域のうち身体表面からの離間距離が１０ｃｍ以上１５ｃｍ以内の範囲において、前記格子パターンＴ１における第７鉛直線ｅ７上、及び第６鉛直線ｅ６及び第８鉛直線ｅ８上における第８平行線ｄ８より下方に、前記芳香放出手段を配置しない、前記＜１６＞又は＜１７＞に記載の芳香の提供方法。
＜１９＞
前記前側空間領域のうち身体表面からの離間距離が５ｃｍ以上１０ｃｍ以内の範囲において、前記格子パターンＴ１における以下の領域Ｒ３〜Ｒ７のうち何れか１の領域内に前記芳香放出手段を配置する、前記＜１６＞〜＜１８＞の何れか１に記載の芳香の提供方法。
領域Ｒ３：第４鉛直線ｅ４、第５鉛直線ｅ５、第３平行線ｄ３、及び第１１平行線ｄ１１で区画される領域。
領域Ｒ４：第５鉛直線ｅ５、第６鉛直線ｅ６、第３平行線ｄ３、及び第８平行線ｄ８で区画される領域。
領域Ｒ５：第６鉛直線ｅ６、第８鉛直線ｅ８、第３平行線ｄ３、及び第４平行線ｄ４で区画される領域。
領域Ｒ６：第８鉛直線ｅ８、第９鉛直線ｅ９、第３平行線ｄ３、及び第８平行線ｄ８で区画される領域。
領域Ｒ７：第９鉛直線ｅ９、第１０鉛直線ｅ１０、第３平行線ｄ３、及び第１１平行線ｄ１１で区画される領域。
＜２０＞
前記前側空間領域のうち身体表面からの離間距離が１０ｃｍ以上１５ｃｍ以内の範囲において、前記格子パターンＴ１における前記領域Ｒ３、前記領域Ｒ４、前記領域Ｒ６、及び前記領域Ｒ７のうち何れか１の領域内に芳香放出手段を配置する、前記＜１９＞に記載の芳香の提供方法。
＜２１＞
複数の人が共有する共有スペース内において使用される、前記＜１＞〜＜２０＞の何れか１に記載の芳香の提供方法。
【００９１】
＜２２＞
装着者の首に掛けられる首掛部を備えた支持部と、該支持部の両端部に設けられた一対の芳香保持部とを具備する芳香具であって、
前記芳香保持部は、香料を保持した保持体を収容可能な収容部を有し、該収容部は、単一又は複数の開口を有しており、且つ、
前記首掛部を介して前記装着者の首に掛けられた状態において、前記開口のうち、少なくとも一つの開口から流入し、前記収容部内を経由して、該開口又は他の開口から流出する気体の流路が形成される、芳香具。
＜２３＞
前記芳香保持部は、前記装着者の身体表面から離間して配される、前記＜２２＞に記載の芳香具。
＜２４＞
前記開口と前記装着者の身体表面との離間距離が５ｍｍ以上１２０ｍｍ以内である、前記＜２２＞又は＜２３＞に記載の芳香具。
【００９２】
＜２５＞
前記芳香保持部は、前記首掛部において前記装着者の首の両側部に配される部分どうしを結んで形成される平面状の面に対して角度を有した状態で配されている、前記＜２２＞〜＜２４＞の何れか１に記載の芳香具。
＜２６＞
前記芳香保持部は、前記平面状の面に対する傾斜角度が３０°以上１００°以下である、前記＜２５＞に記載の芳香具。
＜２７＞
前記首掛部を介して前記装着者の首に掛けられた状態において、前記芳香保持部の水平方向に対する傾斜角度が−４０°から４０°である、前記＜２２＞〜＜２６＞の何れか１項に記載の芳香具。
【００９３】
＜２８＞
前記収容部には、前記開口として、鉛直方向の上方を向いた上向き開口、及び同方向の下方を向いた下向き開口とが形成されている、前記＜２２＞〜＜２７＞の何れか１に記載の芳香具。
＜２９＞
前記芳香保持部は、前記首掛部に取り付けられた基端から該芳香保持部の先端に向かう方向に沿う長手方向と該長手方向に直交する直交方向とを有しており、
前記上向き開口及び前記下向き開口それぞれが、前記長手方向に延びる形状を有している、前記＜２８＞に記載の芳香具。
＜３０＞
前記芳香保持部は、前記首掛部に取り付けられた基端から該芳香保持部の先端に向かう方向に沿う長手方向を有しており、前記開口として、前記長手方向に沿って並んだ複数の開口を有している、＜２２＞〜＜２９＞の何れか１に記載の芳香具。
＜３１＞
前記開口として、前記収容部の先端に形成された先端開口が形成されている、前記＜２２＞〜＜３０＞の何れか１に記載の芳香具。
＜３２＞
前記首掛部を介して前記装着者の首に掛けられた状態において、前記先端開口の鉛直方向に対する傾斜角度が６０°以下である、前記＜３１＞に記載の芳香具。
＜３３＞
前記収容部における総開口面積が、１ｍｍ２以上６００ｃｍ２以下である、前記＜２２＞〜＜３２＞の何れか１に記載の芳香具。
＜３４＞
前記収容部は、前記開口を介した前記保持体への接触が不能に構成されている、前記＜２２＞〜＜３３＞の何れか１に記載の芳香具。
【００９４】
＜３５＞
前記保持体の容積が０．１ｃｍ３以上８００ｃｍ３以下である、前記＜２２＞〜＜３４＞の何れか１に記載の芳香具。
＜３６＞
前記保持体における前記香料の含有量が、５ｍｇ以上１０ｇ以下である、前記＜２２＞〜＜３５＞の何れか１に記載の芳香具。
＜３７＞
前記収容部に形成された前記開口は、開口面積が０．１ｍｍ２以上である、前記＜２２＞〜＜３６＞の何れか１に記載の芳香具。
＜３８＞
身体に装着し、芳香を装着者に提供する芳香の提供方法に用いられる芳香具であって、
前記芳香具は、香料を保持した保持体を収容可能な収容部を有する芳香保持部を具備しており、
前記芳香具を身体に装着したときに、身体からの熱により生じた上昇気流が流れる身体の前側空間領域のうち、鼻の下端を基点とし下方に向かって断面積が漸次増大する鼻息が直接的にかかる鼻息噴射領域に、前記芳香保持部が配されない一方、該鼻息噴射領域の左右に位置する側部領域又は該鼻息噴射領域より身体側に位置する身体近接領域に前記芳香保持部が配置され、
前記芳香保持部から放出される芳香成分の単位時間当たりの揮発量が０．１ｍｇ／秒未満であり、
前記上昇気流及び前記鼻息により生じる対流に乗せて、前記芳香保持部から生じる芳香を前記鼻に供給可能に構成されている、芳香具。
【実施例】
【００９５】
以下、本発明を実施例（試験例）により更に具体的に説明するが、本発明は斯かる実施例（試験例）に限定されるものではない。
【００９６】
〔芳香放出手段の作製〕
１２ｍｍ×６ｍｍ、厚さ０．８ｍｍの香料試験紙（大文字洋紙社製）に下記表８に示す香料（芳香組成物）Ａ、Ｂを約７ｍｇ浸み込ませた。この香料試験紙を両面テープ（ＮＩＴＯＭＳ社製、商品名：多用途厚手両面テープ）で台紙に取り付け、これを芳香放出手段とした。また、芳香放出手段を身体表面から離間させて配置し得るように、棒状の固定部を用意した。固定部は、一方の端部に芳香放出手段を担持することができ、他方の端部を装着者の衣服に固定し得る。固定部を装着者の衣服に固定した状態では、固定部が装着者の衣服から前側に突出した状態となり、芳香放出手段を身体から離間させて配置することができる。
【００９７】
【表８】
2020054813.tif 000012
【００９８】
〔芳香知覚試験１〕
芳香放出手段の配置を以下のように設定し、各配置における芳香の知覚の程度を評価した。先ず、身体を正面から視た正面図において、前述した格子パターンＴ１を仮定した（図５参照）。そして、芳香放出手段を格子パターンＴ１の鉛直線及び平行線の各交点に配置した。この際、各配置場所における芳香放出手段と装着者の身体表面との離間距離を異ならせた。格子パターンＴ１において、芳香放出手段を身体の前頭面から前側に下記表９に示す離間距離で配置した。また、芳香放出手段を装着者の衣服表面に両面テープを介して配置した。この場合の身体表面からの離間距離は２ｃｍであった。前記離間距離が７ｃｍ以上の場合は、前述した固定部を用いて、芳香放出手段を配置した。
また、試験例１〜８では、芳香ポテンシャル−６以上の芳香成分を含む香料（芳香組成物）Ａ，及びＢを用いて評価を行った。香料Ａを用いる場合は、香料Ａを香料試験紙に浸みこませてから３０分後に、香料Ｂを用いる場合は、香料Ｂを香料試験紙に浸みこませてから２０時間後に、後述する芳香の知覚の程度を評価した。
試験例１〜８における香料及び前記離間距離を下記表９に示す。
【００９９】
【表９】
2020054813.tif 000013
【０１００】
芳香放出手段の各配置場所における、該芳香放出手段から生じる芳香の知覚の程度を６名の専門パネルが評価した。この際、パネルは、立位姿勢で息を吸って吐く動作を１０秒間に３回程度行って、芳香を感知し得るか否かを以下の評価基準に基づき評価した。そして、６名の専門パネルの協議によって評価点を決定した。試験例１〜８における各配置場所の評価結果を図８〜図１５に示す。
０：感知できない
１：やっと感知できる
２：感知できる
３：はっきり感知できる
４：特にはっきり感知できる
【０１０１】
図８〜図１３の結果より、芳香放出手段を側部領域又は身体近接領域に配置すると、該芳香放出手段から生じる芳香を知覚し得ることが示された。一方、図１２〜１５の結果より、鼻の下端を通る基準線ＣＬ２近傍の位置において、身体表面からの離間距離が１２ｃｍ以上となると、芳香を感知し難くなることが示された。これは、鼻息噴射領域における鼻からの呼気によるものと考えられる。図１０及び図１１に示すように、身体表面からの離間距離が７ｃｍである場合は、鼻息噴射領域は、鼻の下端を通る第７鉛直線ｅ７上であって、第５平行線ｄ５から下方の位置、及び第７鉛直線ｅ７と隣り合う第６及び第８鉛直線ｅ６，ｅ８上であって、第９平行線ｄ９から下方の位置に存在することが示された。この鼻息噴射領域の位置は、後述する試験例９及び１０（図１６及び図１７）の結果とも一致する。また、図１２及び１３に示すように、身体表面からの離間距離が１２ｃｍである場合は、鼻息噴射領域は、鼻の下端を通る第７鉛直線ｅ７上の位置、及び第７鉛直線ｅ７と隣り合う第６及び第８鉛直線ｅ６，ｅ８上であって、第８平行線ｄ８から下方の位置又は第９平行線ｄ９から下方の位置に存在することが示された。また、図８〜１３に示す結果より、身体近接領域は、鼻の下端を通る第７鉛直線ｅ７上、及び第７鉛直線ｅ７と隣り合う第６及び第８鉛直線ｅ６，ｅ８上に存在することが示された。図１０及び図１１に示す結果、図１２及び図１３に示す結果より、第８平行線ｄ８と第６鉛直線ｅ６との交点、及び第８平行線ｄ８と第８鉛直線ｅ８との交点において、芳香の知覚の程度が異なっているが、これは香料Ａ及びＢに含まれる個々の芳香成分の芳香ポテンシャルＡＰに起因するものであると考えられる。
【０１０２】
試験例１〜８の結果、芳香放出手段を側部領域に配置する場合、芳香放出手段と身体表面との離間距離は好ましくは１５ｃｍ以下、より好ましくは１０ｃｍ以下、さらに好ましくは５ｃｍ以下であることが示された。さらに、芳香放出手段は、側部領域における前記基準線ＣＬ２近傍に配置することが好ましい。
【０１０３】
〔芳香知覚試験２〕
試験例９及び１０として、芳香ポテンシャルが相異なる芳香成分を用いた以外は、前述した芳香知覚試験１と同様の方法で、芳香の知覚の程度を評価した。また、芳香成分Ｃ〜Ｄとして、以下のものを用いた。・芳香成分Ｃ：サンダルマイソールコア〔登録商標、花王株式会社製、２−メチル−４−（２，２，３−トリメチル−３−シクロペンテン−１−イル）−２−ブテン−１−オール〕・芳香成分Ｄ：オキサシクロヘキサデセン−２−オン〔Ｆｉｒｍｅｎｉｃｈ社製、Ｈａｂａｎｏｌｉｄｅ（登録商標）〕
次いで、各芳香成分を香料試験紙に７ｍｇ浸みこませた。試験例９及び１０における芳香放出手段と身体表面との離間距離、芳香成分及びその芳香ポテンシャルを下記表１０に示す。また、試験例９及び１０における各配置場所の評価結果を図１６及び図１７に示す。
【０１０４】
【表１０】
2020054813.tif 000014
【０１０５】
図１６及び図１７の結果より、芳香成分の芳香ポテンシャルは−６以上であることがより好ましいことが示された。
【０１０６】
〔処方例〕
前述した〔芳香放出手段の作製〕と同様の方法で、下記の芳香成分Ｅ，Ｆを用いた芳香放出手段を作製する。
・処方例１
芳香成分Ｅ（芳香ポテンシャル−６．４）：１−（２−ｔｅｒｔ−ブチルシクロヘキシル）オキシブタン−２−オール〔花王株式会社製、Ａｍｂｅｒ  ｃｏｒｅ（登録商標）〕
・処方例２
芳香成分Ｆ（芳香ポテンシャル−７．２）：１，４−ジオキサ−シクロヘプタデカン−５，１７−ジオン（高砂香料工業社製、Ｅｔｈｙｌｅｎｅ  Ｂｒａｓｓｙｌａｔｅ）
【符号の説明】
【０１０７】
１  前側空間領域
２  鼻息噴射領域
３  側部領域
４  身体近接領域
１０，１０ａ  芳香具
１１  芳香部
１１ａ  芳香保持部
１２  支持部
１３  装着部
１４  保持体
１５  放出窓
１６  開口
１８  収容部
Ｘ  長手方向
Ｙ  直交方向
Ｚ  鉛直方向
【図１】
2020054813.tif 000016
【図２】
2020054813.tif 000017
【図３】
2020054813.tif 000018
【図４】
2020054813.tif 000019
【図５】
2020054813.tif 000020
【図６】
2020054813.tif 000021
【図７】
2020054813.tif 000022
【図８】
2020054813.tif 000023
【図９】
2020054813.tif 000024
【図１０】
2020054813.tif 000025
【図１１】
2020054813.tif 000026
【図１２】
2020054813.tif 000027
【図１３】
2020054813.tif 000028
【図１４】
2020054813.tif 000029
【図１５】
2020054813.tif 000030
【図１６】
2020054813.tif 000031
【図１７】
2020054813.tif 000032
【図１８】
2020054813.tif 000033
【図１９】
2020054813.tif 000034
【図２０】
2020054813.tif 000035
【図２１】
2020054813.tif 000036
【図２２】
2020054813.tif 000037
【図２３】
2020054813.tif 000038
【図２４】
2020054813.tif 000039
【図２５】
2020054813.tif 000040
【図２６】
2020054813.tif 000041
【図２７】
2020054813.tif 000042
【図２８】
2020054813.tif 000043
【図２９】
2020054813.tif 000044